(57)【要約】【課題】座を跳ね上げ可能な可搬式の椅子において、椅子自体のさらなる軽量化を図って可搬性を高める。【解決手段】座面３ａを有する座３と、椅子１の幅方向に離間して一対設けられ、椅子設置面Ｆ上に起立し、座３を支持する左右一対の脚体２と、を備え、左右脚体２の各々は、互いに前後方向に離間して上下方向に延び、下端部２１，２６が椅子設置面Ｆに支持される前脚２０および後脚２５と、座３を支持する支持部材３５（座支持部）と、を備え、支持部材３５は、座３の前端部よりも後方において、前脚２０および後脚２５の間に配置され、座３の前端部側を跳ね上げ可能とするべく座３を回動可能に支持し、支持部材３５の前端部は前脚２０に支持され、支持部材３５の後端部は後脚２５に支持され、前脚２０は、支持部材３５を支持する部位から下端部２１に至るまでの間に、鉛直方向に沿って延びる前脚鉛直杆部２３を備えている。【選択図】図４
2020028667.tif 000002
【特許請求の範囲】
【請求項１】
座面を有する座と、
椅子の幅方向に離間して一対設けられ、椅子設置面上に起立し、前記座を支持する左右一対の脚体と、
を備え、
前記左右脚体の各々は、
互いに前後方向に離間して上下方向に延び、下端部が前記椅子設置面に支持される前脚および後脚と、
前記座を支持する座支持部と、
を備え、
前記座支持部は、前記座の前端部よりも後方において、前記前脚および後脚の間に配置され、前記座の前端部側を跳ね上げ可能とするべく前記座を回動可能に支持し、
前記座支持部の前端部は前記前脚に支持され、前記座支持部の後端部は前記後脚に
支持され、
前記前脚および後脚の少なくとも一方は、前記座支持部を支持する部位から前記下端部に至るまでの間に、鉛直方向に沿って延びる鉛直杆部を備えていることを特徴とする椅子。
【請求項２】
前記前脚および後脚の内、前記鉛直杆部を備える脚は、前記椅子設置面に沿って、前後方向で前記座支持部から離間する側へ延びる延長接地部を備えていることを特徴とする請求項１に記載の椅子。
【請求項３】
前記前脚および後脚の内、前記延長接地部を備える脚は、前記延長接地部を含んで矩形状の断面を有して延び、
前記延長接地部は、前記幅方向の外側に、前記幅方向と直交する外側面を有し、
前記椅子の幅方向の一側に他の椅子を隣接させた場合に、前記延長接地部は、前記他の椅子の前記延長接地部と前記外側面同士を当接させることを特徴とする請求項２に記載の椅子。
【請求項４】
前記延長接地部は、滑り止め構造を有して前記椅子設置面に当接する接地部材を備えていることを特徴とする請求項２又は３に記載の椅子。
【請求項５】
前記座は、前記座面を上方に向けた使用位置と、前記使用位置に対して前端部を上方に移動させた跳ね上げ位置と、の間で回動可能であり、
前記座を前記使用位置から前記跳ね上げ位置へ回動させる向きに付勢する付勢機構を備え、
前記付勢機構は、前記座支持部に支持されていることを特徴とする請求項１から４の何れか一項に記載の椅子。
【発明の詳細な説明】
【技術分野】
【０００１】
本発明は、椅子に関する。
【背景技術】
【０００２】
従来、劇場やホールなどで使用される椅子として、例えば特許文献１に開示されるものがある。この椅子は、床面に固定される座跳ね上げ式のもので、左右方向で複数並び、前後方向では通路用に所定間隔を空けて複数並んで設置される。そして、前後の椅子間の通路幅を大きく確保することを主目的として、脚はできるだけ通路に飛び出さないように設計されている。
一方、劇場やホールなどの空きスペース、または体育館やオフィスなどに臨時に設置することで、必要に応じた着席スペースを形成可能とし、対象となる空間を多目的なイベントに使用可能とする、可搬式の椅子が知られている（例えば、特許文献２，３参照）。
【先行技術文献】
【特許文献】
【０００３】
【特許文献１】特開２００９−１６００３０号公報
【特許文献２】特許第５４３２２１８号公報
【特許文献３】特開２０１６−７３５５０号公報
【発明の概要】
【発明が解決しようとする課題】
【０００４】
例えば特許文献３に記載の椅子は、複数の椅子を前後方向で入れ子状に重ね合わせることが可能とされており、椅子を使用しないときに、少ないスペースに収納可能とされている。このような可搬用椅子の場合、台車などに収納し、保管することを想定しているため、運搬や設置がしやすくなるように、できるだけ軽量化を図ることが好ましい。
ところで、引用文献３に記載の椅子は、座を回動可能に支持する座支持部が前脚の前方に配置されている。座支持部は、後端部が前脚のみに支持された片持ち構造となっている。この場合、座支持部自体、および前脚における座支持部を支持する部位の強度剛性を高める必要がある。このため、椅子の軽量化ひいては可搬性に影響することが考えられる。
また、引用文献３の前脚は、座支持部を支持する部位から前下方へ斜めに延び、傾斜したまま床面に至っている。この場合、傾斜した前脚の下部が椅子前方の通路空間に飛び出すので、通路幅の確保に影響してしまう。特に、ライブ会場のような照明が暗い場所に椅子を設置する場合、歩行者が常に足元を気にしながら歩くことになるため、椅子の設置数を減らして通路幅を広げるといった対応につながる虞がある。
【０００５】
そこで本発明は、座を跳ね上げ可能な可搬式の椅子において、椅子自体のさらなる軽量化を図って可搬性を高め、かつ椅子前後の通路空間の確保を容易にすることを目的とする。
【課題を解決するための手段】
【０００６】
上記課題の解決手段として、本発明は、座面を有する座と、椅子の幅方向に離間して一対設けられ、椅子設置面上に起立し、前記座を支持する左右一対の脚体と、を備え、前記左右脚体の各々は、互いに前後方向に離間して上下方向に延び、下端部が前記椅子設置面に支持される前脚および後脚と、前記座を支持する座支持部と、を備え、前記座支持部は、前記座の前端部よりも後方において、前記前脚および後脚の間に配置され、前記座の前端部側を跳ね上げ可能とするべく前記座を回動可能に支持し、前記座支持部の前端部は前記前脚に支持され、前記座支持部の後端部は前記後脚に支持され、前記前脚および後脚の少なくとも一方は、前記座支持部を支持する部位から前記下端部に至るまでの間に、鉛直方向に沿って延びる鉛直杆部を備えていることを特徴とする。
【０００７】
この構成によれば、着座荷重を受ける座が、左右方向に離間した左右脚体の各々における前後方向に離間した前脚および後脚に支持されるので、座を安定して支持することができる。また、椅子の幅方向両側に大型の立壁状の脚体を設けるような場合に比べて、椅子自体の重量およびサイズを抑えることができる。そして、重量およびサイズの軽減により、椅子の設置および片付けを行う際の可搬性を良好に確保することができる。
また、座支持部が杆状の前脚および後脚の間に配置され、前後端部を前脚および後脚に支持された両持ち構造となるので、座の支持強度を確保しやすくなる。すなわち、座の前端部側を跳ね上げ可能に支持する座支持部には、座への着座荷重によって大きなモーメントが作用するが、この座支持部を前脚および後脚で両持ち支持することで、座支持部自体の支持強度を効率よく確保可能となる。このため、座支持部自体、ならびに前脚および後脚における座支持部を支持する部位の強度剛性を抑えやすくなり、周辺構造の小型軽量化を図ることができる。
さらに、脚杆における座支持部よりも椅子設置面側に鉛直杆部を備えるので、当該部位が椅子前後の空間に飛び出し難くなり、椅子前後の通路空間の確保を容易にすることができる。また、脚杆が着座者等の下肢に干渉することを抑えることができる。また、歩行者が通路を通る際に足元の注意に気を取られ難くなり、歩きやすさを向上させることができる。また、椅子が設置された状態で床面（椅子設置面）等が汚れているときにも、床面周辺を清掃しやすくすることができる。
【０００８】
本発明において、前記前脚および後脚の内、前記鉛直杆部を備える脚は、前記椅子設置面に沿って、前後方向で前記座支持部から離間する側へ延びる延長接地部を備えている構成でもよい。
この構成によれば、前脚が鉛直杆部を備える場合、前脚の下端部には、椅子設置面に沿って前方へ延びる延長接地部が備えられる。後脚が鉛直杆部を備える場合、後脚の下端部には、椅子設置面に沿って後方へ延びる延長接地部が備えられる。これらの延長接地部により、前脚および後脚の前後方向位置によらず、椅子の接地位置を前方および後方の少なくとも一方に離間して設けることができ、椅子の安定性を高めることができる。また、延長接地部が床面（椅子設置面）に沿って延びるので、この延長接地部を踏んだり跨いだりして歩くことが可能となる。このため、椅子の接地位置を前方および後方の少なくとも一方に離間して設けながらも、椅子前後の通路への影響を抑えることができる。
【０００９】
本発明において、前記前脚および後脚の内、前記延長接地部を備える脚は、前記延長接地部を含んで矩形状の断面を有して延び、前記延長接地部は、前記幅方向の外側に、前記幅方向と直交する外側面を有し、前記椅子の幅方向の一側に他の椅子を隣接させた場合に、前記延長接地部は、前記他の椅子の前記延長接地部と前記外側面同士を当接させる構成でもよい。
この構成によれば、幅方向で隣接する椅子を椅子設置面上に設置した場合に、断面矩形状の延長接地部が、隣り合う椅子の延長接地部と外側面同士を当接させるので、延長接地部を備える脚杆が円形状の断面を有して延びる構成に比べて、椅子設置面上で隣接する延長接地部同士の間に隙間（特に上面側の谷間）が生じることを抑えることができる。このため、隣接する延長接地部同士の間に異物や靴の一部（特に婦人靴のピンヒール）が入り込むことを抑えることができる。また、横並びに連結された椅子の延長接地部同士が隣接するので、隣接する延長接地部によって幅広の上面を形成することができる。このため、椅子前後の通路を通る歩行者が、幅方向で並ぶ延長接地部の上面を踏みやすくなり、椅子前後の通路への影響を抑えることができる。
【００１０】
本発明において、前記延長接地部は、滑り止め構造を有して前記椅子設置面に当接する接地部材を備えている構成でもよい。
この構成によれば、椅子設置面への当接面を拡大した延長接地部が、滑りによる位置ズレを生じさせることを抑え、椅子の安定性を高めることができる。
【００１１】
本発明において、前記座は、前記座面を上方に向けた使用位置と、前記使用位置に対して前端部を上方に移動させた跳ね上げ位置と、の間で回動可能であり、前記座を前記使用位置から前記跳ね上げ位置へ回動させる向きに付勢する付勢機構を備え、前記付勢機構は、前記座支持部に支持されている構成でもよい。
この構成によれば、回動式（跳ね上げ式）の座の動作による荷重、および付勢機構から受ける付勢反力等を、座支持部を介して前脚および後脚の各々で安定して支持することができる。このため、座の動作の安定性の確保を容易にし、周辺構造の小型軽量化を図ることができる。
【発明の効果】
【００１２】
本発明によれば、座を跳ね上げ可能な可搬式の椅子において、椅子自体のさらなる軽量化を図って可搬性を高め、かつ椅子前後の通路空間の確保を容易にすることができる。
【図面の簡単な説明】
【００１３】
【図１】本発明の実施形態における椅子を前外側から見た斜視図である。
【図２】上記椅子を後外側から見た斜視図である。
【図３】上記椅子の座を跳ね上げた状態の図１に相当する斜視図である。
【図４】図３の状態を左側方から見た側面図である。
【図５】上記椅子を幅方向で複数並べた状態の前面図である。
【図６】上記椅子を幅方向で一対並べた状態の上面図である。
【図７】上記椅子を前後方向で複数重ねた状態の側面図である。
【図８】上記椅子を前後方向に間隔を空けて並べた状態の側面図である。
【図９】上記椅子の背フレーム、ならびに右側の脚体、回動機構および付勢機構を示す斜視図である。
【図１０】図９の分解斜視図である。
【図１１】上記椅子の右側の脚体を後外側から見た斜視図である。
【図１２】図１１のＡ−Ａ断面図である。
【図１３】変形例の椅子を示す図４に相当する側面図である。
【図１４】上記椅子の前脚カバーおよび後脚カバーの下面の滑り止め構造を示す説明図である。
【図１５】上記滑り止め構造のバリエーション（ａ）〜（ｋ）を示す説明図である。
【図１６】図１４のＢ−Ｂ断面図であり、鉛直杆部下端の配置を示す説明図である。
【発明を実施するための形態】
【００１４】
以下、本発明の一実施形態について図面を参照して説明する。図８を参照し、以下の説明において、前後上下左右等の向きは、特に記載がなければ、水平な床面（椅子設置面）Ｆ上に設置した状態の椅子１に、正規姿勢で着座した着座者Ｍ１の正面側を「前」、その逆側を「後」とし、上下左右も着座者Ｍ１から見た向きと同一とする。着座者Ｍ１が正規姿勢で着座したとき、椅子１の座３は後述する使用位置Ｐ１にあり、特に記載がなければ、座３の説明で用いる向きは使用位置Ｐ１での向きと同一とする。図中において、矢印ＵＰは上方を示し、矢印ＦＲは前方を示し、矢印ＬＨは左方を示す。
【００１５】
＜椅子全体＞
図１〜図４に示すように、本実施形態の椅子１は、座面３ａを形成する座３を、座面３ａを上方に向けた使用位置（着座位置、図参照）Ｐ１と、使用位置Ｐ１に対して前端部を上方に移動させた跳ね上げ位置（格納位置、図参照）Ｐ２と、の間で回動可能とした、座跳ね上げ式の椅子１である。
【００１６】
椅子１は、左右方向（椅子１の幅方向）に離間して配置される左右一対の脚体２と、左右脚体２の間に配置される座３と、座３と左右脚体２との間に配置される回動機構１５と、座３の後方で左右脚体２の間に配置される背凭れ４と、座３の左右側部の上方に配置される左右一対の肘掛け５と、を備えている。
【００１７】
＜脚体＞
図１〜図４を参照し、左右脚体２の各々は、互いに前後方向（椅子１の奥行方向）に離間して上下方向に延びる前脚２０および後脚２５（以下、前後脚２０，２５ということがある。）を備えている。前後脚２０，２５の上端部の間は、略水平に前後方向に延びる連結杆部３０を介して連結されている。詳細には、連結杆部３０は、後下がりに傾斜し、かつ側面視で上方に凸の湾曲状をなして前後方向に延びている。左右連結杆部３０は、それぞれ左右肘掛け５を支持する部材（本実施形態では左右肘掛け５を構成する部材）である。
【００１８】
前後脚２０，２５の上下中間部の間は、幅方向と直交する板状をなす支持部材３５を介して連結されている。本願における「中間」とは、対象部品の両端間の中央に限らず、両端間の内側にある部位を含む。椅子１が椅子設置面Ｆ上に起立するとき、椅子１の前後方向は椅子１の奥行方向となる。前後方向前側は奥行方向手前側に相当し、前後方向後側は奥行方向奥側に相当する。
【００１９】
左右支持部材３５は、座３の左右側部および背凭れ４の左右側部をそれぞれ支持する部材である。左右支持部材３５は、座３の前端部（図４の前端位置Ｐ３参照）よりも後方に位置し、座３の前端部側を跳ね上げ可能とするべく座３を回動可能に支持している。左右支持部材３５は、座３の後端部（図４の後端位置Ｐ４参照）よりも前方に位置している。左右支持部材３５（および座３の回動中心軸線Ｃ１）は、座３の前後方向中央よりも後方に位置している。左右支持部材３５は、使用位置Ｐ１にある座３の座面３ａよりも下方に位置している。
【００２０】
前後脚２０，２５は、連結杆部３０に至る上端部から椅子設置面Ｆに至る下端部まで（すなわち上下端部に渡って）、互いに前後方向に離間して上下方向に延びている。前後脚２０，２５は、それぞれ長さ方向に直交する断面で矩形状（長方形状）の断面形状を有する脚杆を構成している。前後脚２０，２５の上部は、座３よりも上方に延びている。前後脚２０，２５の上端部間を連結する連結杆部３０は、左右肘掛け５の高さに位置している。
【００２１】
例えば、連結杆部３０は、前後脚２０，２５の連結杆部３０近傍の部位とともに、アルミダイキャスト等により一体成型されている。前後脚２０，２５の残余の部位は、例えば角形鋼管に曲げ加工を施して形成されている。脚体２において、連結杆部３０を含む成型部分２Ａと前後脚２０，２５の残余の杆状部分（鋼管部分）２Ｂ，２Ｃとは、それぞれ前後結合部６，７において一体的に結合されている。
【００２２】
具体的に、前脚２０の鋼管部分２Ｂの上端部と成型部分２Ａの前垂下部３１の下端部とは、前結合部６において互いに結合されている。後脚２５の鋼管部分２Ｃの上端部と成型部分２Ａの後垂下部３２の下端部とは、後結合部７において互いに結合されている。前垂下部３１は後垂下部３２よりも上下方向で短く、したがって前結合部６は後結合部７よりも上方に位置している。前後結合部６，７は、それぞれキー状突部を含むインロー嵌合と抜け止めボルトとを用いた結合構造部である。
【００２３】
前脚２０の鋼管部分２Ｂの上下方向中間部（後述する下傾斜部２３ｂ）と後脚２５の鋼管部分２Ｃの上部とは、支持部材３５を介して互いに連結されている。
図１０、図１１を併せて参照し、支持部材３５は、幅方向と直交する板状をなし、前脚２０の左右方向の全幅内に配置（前後方向視で前脚２０と重なるように配置）される側壁部３６と、側壁部３６の後縁部から幅方向内側に起立する後壁部３７と、を備えている。側壁部３６の前縁部は、前脚２０の上下中間部の後面側に溶接等により結合されている。後壁部３７の内側縁部は、後脚２５の上下中間部の前縁部に溶接等により結合されている。
【００２４】
支持部材３５は、前後脚２０，２５の上下中間部の間を連結する連結部材としても機能する。支持部材３５は、前端部が前脚２０に結合されて支持され、後端部が後脚２５に結合されて支持されている。すなわち、支持部材３５は、前後脚２０，２５に両持ち支持されている。支持部材３５は、幅方向内側に起立する後壁部３７を備えることで、後脚２５が後述する頂部屈曲部２８ｃの下方で幅方向内側にオフセットしても、前後脚２０，２５を互いに連結可能である。
【００２５】
図１〜図４を参照し、前後脚２０，２５は、少なくとも支持部材３５および座３よりも下方において、互いに前後方向に離間した杆状をなしている。前後脚２０，２５は、例えば支持部材３５と重なる高さおよびそれ以上の高さにおいて、部分的に前後方向で一体化されたり、前後方向位置を入れ替えたり（すなわち側面視でＸ字状に交差したり）してもよい。
【００２６】
前後脚２０，２５の各々の下端部（接地端部）２１，２６は、それぞれ椅子設置面Ｆに当接して支持されている。前脚２０の下端部２１は、後脚２５の下端部２６よりも前方に位置し、使用位置Ｐ１にある座３の前端位置Ｐ３（図４参照）よりも後方に位置している。前脚２０は、全体が前記前端位置Ｐ３よりも後方の領域に配置されている。前脚２０の下端部２１は、できるだけ前方に接地位置を設けるために、椅子設置面Ｆに沿って前方に延びる前方延出部２１ａを備えている。前方延出部２１ａは、脚体２における前後方向で支持部材３５から離間する側へ延びる延長接地部２Ｄを構成している。
【００２７】
前脚２０は、前方延出部２１ａの基端部（後端部）２１ｂから上方へ鉛直方向に沿って延びる前脚鉛直杆部２３を備えている。前脚２０における前方延出部２１ａおよび前脚鉛直杆部２３を含む部位は、側面視でＬ字状に形成されている。前脚２０の下端部２１に至る部位を前脚鉛直杆部２３としたので、椅子設置面Ｆ近傍において平面視で前脚２０が占める領域が狭くなる。これにより、図８に示すように、着座者Ｍ１および歩行者Ｍ２の下肢が動く領域から前脚２０が退避し、着座者Ｍ１および歩行者Ｍ２が下肢を動かしやすくなる。
【００２８】
本実施形態の前脚鉛直杆部２３は、鉛直方向に対し、以下に説明する程度の傾きを許容して延びている。
図１６は、前脚鉛直杆部２３の下端位置での断面を示している。この断面において、前脚鉛直杆部２３が鉛直方向に沿う場合の下端断面の外接円を符号Ｃｉで示している。前脚鉛直杆部２３は、鉛直方向に対し、下端断面が外接円Ｃｉに交差する又は接する範囲での傾きを許容している。前脚鉛直杆部２３は、実質的に鉛直方向に沿って延びているといえる。
【００２９】
図４を参照し、後脚２５は、支持部材３５を結合する上下中間部から下後方へ、側面視で傾斜して直線状に延びている。後脚２５の下端部２６は、使用位置Ｐ１にある座３の後端位置Ｐ４よりも後方の領域に配置されている。後脚２５の下端部２６は、後傾する背凭れ４の上後端位置Ｐ５と同等の前後方向位置に配置されている。図１〜図３を併せて参照し、左右後脚２５における下後方へ延びる部位は、左右前脚２０に対して幅方向内側にオフセットしている。
【００３０】
前記オフセットにより、図７に示すように、複数の椅子１を前後方向で並べたとき、前側の椅子１の左右後脚２５は、後側の椅子１の左右前脚２０の間に進入することが可能である。すなわち、左右前脚２０の間には、前側に位置する他の椅子１の左右後脚２５を収容可能な脚収容部が構成されている。これにより、複数の椅子１を前後方向で並べたとき、前側に位置する他の椅子１の左右後脚２５を左右前脚２０の間に入り込ませる（入れ子状に重ねる）ことが可能となる。したがって、複数の椅子１を、相互間のピッチを詰めてコンパクトに収納することが可能となる。
前後脚２０，２５については後にさらに詳述する。
【００３１】
＜座＞
図１、図３を参照し、座３は、左右脚体２の支持部材３５に対し、回動機構１５を介して回動可能に支持されている。座３は、平面視矩形状の厚板状をなしている。座３は、厚さ方向を上下方向に向けた使用位置Ｐ１（図１参照）において、上面に形成した座面３ａを略水平にして配置される。座３は、その後部に配置された幅方向に沿う軸線Ｃ１を中心に、使用位置Ｐ１から前端部を上方に移動させるように回動する。これにより、座３は、前上がりに起立した跳ね上げ位置Ｐ２（図３参照）に変化する。回動機構１５は、座３を使用位置Ｐ１から跳ね上げ位置Ｐ２へ回動させる向きに付勢する付勢機構１６（図９参照）を備えている。付勢機構１６は、回動機構１５とともに、脚体２の支持部材３５に支持されている。
【００３２】
図６を参照し、座３の後端部３ｄは、使用位置Ｐ１にある状態での上面視（座面３ａの平面視）で、後方に凸の湾曲形状をなしている。座３の後端部３ｄは、背凭れ４の下部の平面視の湾曲形状に沿うように形成されている。座３の使用位置Ｐ１において、跳ね上げ位置Ｐ２側と反対側への回動は、回動機構１５に設けたストッパ６２ａ（図１０参照）によって規制される。ストッパ６２ａは、使用位置Ｐ１にある座３に着座者Ｍ１が着座したとき、着座荷重によるモーメントと反対回りのモーメントが生じるように、座３の回動規制を行う。
【００３３】
座３の跳ね上げ位置Ｐ２における使用位置Ｐ１側と反対側への回動も、前記ストッパ６２ａによって規制される。椅子１は、座３を跳ね上げた状態で後方に倒れ、奥行方向を上下方向に向けた状態で、上下方向に複数積み上げて収納すること（スタッキング）が可能である。これは、図７の右側を上側に向けた状態に相当する。複数の椅子１を上下方向に平積みすると、跳ね上げ位置Ｐ２にある椅子１には、上方に重なった椅子１の重量が加わる。この重量によるモーメントと反対方向のモーメントが作用するように、前記ストッパ６２ａが座３の回動規制を行う。
【００３４】
＜回動機構＞
図９、図１０に示すように、回動機構１５は、回動支持体６２と、枢軸６１と、座フレーム６５と、を備えている。図９、図１０は椅子１の右側の回動機構１５等を示しており、以下、図９、図１０に示す右側の構成を参照して説明を行い、左側の構成は左右対称のものとしてその説明は省略する。
【００３５】
回動支持体６２は、支持部材３５の側壁部３６の内側面にボルト等を用いて固定されている。回動支持体６２は、軸線Ｃ１を中心とした有底円筒状に形成され、幅方向内側に向けて開放するように配置されている。回動支持体６２は、支持部材３５とともに座３を回動可能に支持する構成である。
【００３６】
枢軸６１は、軸線Ｃ１を軸中心とし、幅方向に沿って直線状に延びている。本実施形態では、枢軸６１の端部は、回動支持体６２に固定的に支持されている。枢軸６１は、左右脚体２同士を連結する連結部材としても機能する。
【００３７】
枢軸６１における回動支持体６２よりも幅方向内側の部位には、軸方向視半円状の第一ギヤ６４が固定されている。第一ギヤ６４は、半円状の外周部に軸線Ｃ１中心のギヤ部を形成している。
【００３８】
座フレーム６５は、回動支持体６２よりも幅方向内側に配置されている。座フレーム６５は、回動支持体６２に幅方向内側から回動可能に係合する座フレーム枢支部６５ａと、座フレーム枢支部６５ａの幅方向内側に隣接する付勢機構収容部６５ｃと、付勢機構収容部６５ｃから前方に向かって延びるフレーム延出部６５ｂと、を備えている。
【００３９】
座フレーム枢支部６５ａは、例えば軸線Ｃ１中心の円筒壁の上下を部分的に切り欠いた突片状の態様をなし、回動支持体６２の内周側に回動可能に支持されている。回動支持体６２の内周側には、座３の使用位置Ｐ１および跳ね上げ位置Ｐ２の各々において座フレーム枢支部６５ａに周方向で係合するストッパ６２ａを備えている。このストッパ６２ａにより、座３の回動が使用位置Ｐ１および跳ね上げ位置Ｐ２の間に制限され、かつ座３の回動が使用位置Ｐ１および跳ね上げ位置Ｐ２において規制される。
【００４０】
付勢機構収容部６５ｃは、上方に開放する容器状をなしている。付勢機構収容部６５ｃは、枢軸６１と交差する部位に、枢軸６１を避けるＵ字状の切り欠き部６５ｄを有している。付勢機構収容部６５ｃには、付勢機構１６が収容されている。
【００４１】
フレーム延出部６５ｂは、上方に開放するＶ字状の断面を有して前方に延びている。
例えば、座フレーム６５の上方への開放部は、座３の底板（不図示）により閉塞される。底板上にはクッション材３ｂが取り付けられ、このクッション材３ｂの周囲が表皮材３ｃで覆われている。座３は、座フレーム６５、底板、クッション材３ｂ及び表皮材３ｃを含んで構成されている。
【００４２】
＜付勢機構＞
付勢機構１６は、渦巻バネ（付勢部材）６６と、軸部材６７と、第二ギヤ６８と、枢軸６１に取り付けられた第一ギヤ６４と、を備えている。
渦巻バネ６６は、幅方向に沿う軸部材６７を中心として渦巻状に構成されている。渦巻バネ６６の径方向内側端部は、軸部材６７に相対回転不能に係止されている。渦巻バネ６６の径方向外側端部は、付勢機構収容部６５ｃの壁部に相対回転不能に係止されている。
【００４３】
軸部材６７は、付勢機構収容部６５ｃの壁部に相対回転可能に支持されている。
第二ギヤ６８は、渦巻バネ６６よりも幅方向内側に配置され、軸部材６７に一体回転可能に支持されている。第二ギヤ６８は、外周部にギヤ部を形成している。第二ギヤ６８のギヤ部は、第一ギヤ６４のギヤ部に噛み合っている。
【００４４】
係る構成において、渦巻バネ６６に畜力されたバネ力により第二ギヤ６８が回転すると、第二ギヤ６８が第一ギヤ６４の外周を転動し、座３を跳ね上げ方向に回動させる。渦巻バネ６６には、座３が跳ね上げ位置Ｐ２にあるときにも座３を跳ね上げ方向に付勢可能な初期バネ力が付与されている。渦巻バネ６６は、座３が使用位置Ｐ１に降ろされたとき、さらにバネ力を畜力し、着座者Ｍ１がいない場合には座３を跳ね上げ位置Ｐ２まで回動させる。
【００４５】
＜背凭れ＞
図１〜図４、図８を参照し、背凭れ４は、座３の後方で後上方に向けて起立し、着座者Ｍ１の背中を後方から支える。背凭れ４は、下部が平面視で後方に凸の湾曲形状をなしている。背凭れ４の下部の湾曲形状は、着座者Ｍ１の腰部の湾曲に沿うように形成されており、着座者Ｍ１の腰部のサポート性を高めている。背凭れ４の下部は、左右脚体２の支持部材３５に固定されて支持されている。
【００４６】
背凭れ４は、図９、図１０に示す背フレーム８にメッシュ状の張材９を張設して背凭れ面４ａを形成している。
図９、図１０を参照し、背フレーム８は、前後方向視で下方に開放するＵ字状の背フレーム本体８ａと、背フレーム本体８ａの左右辺の下部を下後方から支持する左右一対のサポートフレーム８ｂと、左右サポートフレーム８ｂの下後端部の間に渡る連結フレーム８ｃと、を備えている。背フレーム本体８ａ、左右サポートフレーム８ｂおよび連結フレーム８ｃの各々は、例えば円形鋼管に曲げ加工を施して形成されている。
【００４７】
背フレーム本体８ａは、背凭れ４の後傾角度に沿って起立している。
左右サポートフレーム８ｂの各々は、背フレーム本体８ａの側辺に沿う上傾斜部と、上傾斜部の下端部から屈曲部を経て下後方へ延びる下傾斜部と、を有している。上傾斜部は、背フレーム本体８ａの側辺に溶接等により結合されている。
【００４８】
連結フレーム８ｃは、背フレーム本体８ａよりも後方に倒れた傾斜姿勢をなし、平面視で前方に開放するＵ字状に形成されている。連結フレーム８ｃの左右の前端部は、左右サポートフレーム８ｂの下傾斜部の下後端部に溶接等により結合されている。
連結フレーム８ｃは、背凭れ４の下端部の平面視の湾曲形状に沿うように湾曲している。連結フレーム８ｃは、左右脚体２同士を連結する連結部材としても機能する。
【００４９】
背フレーム本体８ａの左右の下端部には、左右脚体２の支持部材３５の前側に設けられた前下締結部３８に対する前下締結プレート８ａ１が、溶接等により固定されている。左右前下締結プレート８ａ１は、対応する前下締結部３８に対し、前上方から斜めに螺着されたボルト８ａ２により締結固定されている。
【００５０】
左右サポートフレーム８ｂの下後端部には、左右脚体２の支持部材３５に設けられた後下締結部３９に対する後下締結プレート８ｂ１が、溶接等により固定されている。左右後下締結プレート８ｂ１は、対応する後下締結部３９に対し、後上方から斜めに螺着されたボルト８ｂ２により締結固定されている。
【００５１】
＜肘掛け＞
図１〜図４を参照し、左右肘掛け５は、例えば左右連結杆部３０により構成されている。左右連結杆部３０の上面は、着座者Ｍ１の前腕を載せる肘載せ面５ａを形成している。左右肘掛け５（左右連結杆部３０）は、それぞれ同側の支持部材３５の上方に離間して配置されている。左右肘掛け５（左右連結杆部３０）の下方に空間が形成されることで、椅子１を運搬する際等に作業者が肘掛け５を把持しやすい。また、脚体２の軽量化も図られる。
【００５２】
左右肘掛け５の前部（および左右前脚２０の前上方延出部２４の前上部）は、跳ね上げ位置Ｐ２にある座３よりも前方に飛び出している（図４参照）。このため、歩行者がバランスを崩した際等に左右肘掛け５を掴みやすく、かつ椅子１を運搬する際にも左右肘掛け５を持ちやすい（跳ね上げ位置Ｐ２にある座３が邪魔になり難い）。左右肘掛け５は、左右連結杆部３０に装着されるパッド部材等を含んでもよい。左右連結杆部３０を含む成型部分２Ａは、アルミ合金等の金属材料に限らず、合成樹脂材料で形成してもよい。
【００５３】
＜スタッキング＞
図７を参照し、本実施形態の椅子１は、座３を跳ね上げ位置Ｐ２とした状態で、奥行方向（図７では前後方向）で入れ子状に複数重ねることが可能である。複数の椅子１を上下方向で積み重ねた際、下側にある椅子１の跳ね上げ位置Ｐ２にある座３は、座面３ａと反対側の下面において、上方に重なった椅子１の重量を受ける。
【００５４】
図３、図５を併せて参照し、座３の下面には、アンダーカバー１１が取り付けられている。アンダーカバー１１には、座３を跳ね上げた椅子１を奥行方向で重ねた際、奥行方向手前側に位置する椅子１の背凭れ４の後下端部（連結フレーム８ｃに沿う部位）を整合させる凹部１１ａが形成されている。これにより、奥行方向で重なる複数の椅子１の間の間隔が規定される。複数の椅子１を上下方向で積み重ねた際、上側の椅子１の背凭れ４の後下端部が下側の椅子１の座３の凹部１１ａに整合して支持されるので、重なり合った椅子１間の位置ズレが抑えられる。図示都合上、アンダーカバー１１は図面間で異なる場合がある。
【００５５】
座３を跳ね上げた椅子１を奥行方向で重ねた際、奥行方向手前側の椅子１の前脚２０の下端部２１（前方延出部２１ａ）の後端部２１ｂには、奥行方向奥側の椅子１の前脚２０の下端部２１（前方延出部２１ａ）の前端部２１ｃが奥行方向奥側から当接する。また、奥行方向手前側の椅子１の連結杆部３０の後端部には、奥行方向奥側の椅子１の連結杆部３０の前端部が奥行方向奥側から当接する。これらの当接は、アンダーカバー１１の凹部１１ａに背凭れ４の後下端部が整合することと併せて、複数の椅子１の安定した積み重ねに寄与する。これにより、複数の椅子１を安定して等間隔に積み重ねて収納することが可能である。
【００５６】
本実施形態の椅子１は、専用の台車（不図示）上で上下方向に複数積み重ねることで、複数の椅子１を台車で搬送して規定の場所に収納することが可能である。
椅子１は、椅子設置面Ｆ上に起立した姿勢のまま、椅子設置面Ｆ上で前後方向で複数入れ子状に重ねた状態として、規定の場所に収納すること（ネスティング）も可能である。
【００５７】
＜椅子の設置＞
図５、図６に示すように、左右支持部材３５の幅方向外側には、幅方向に並ぶ椅子１同士を連結可能とする連結機構１７が設けられている。連結機構１７は、幅方向一側（図中右側）に設けられる第一部材１８と、幅方向他側（図中左側）に設けられる第二部材１９と、を備えている。第一部材１８は、軸方向を幅方向に向けた円錐台状の第一ベース部１８ａと、第一ベース部１８ａの外側部中央から幅方向外側に突出する凸部１８ｂと、を備えている。第二部材１９は、軸方向を幅方向に向けた円錐台状の第二ベース部１９ａと、第二ベース部１９ａの外側部中央に凹設される凹部１９ｂと、を備えている。第一部材１８および第二部材１９は、例えば軸線Ｃ１上に軸中心を配置している（図３、図４参照）。
【００５８】
凸部１８ｂは、例えば幅方向外側ほど上側に位置するように、幅方向に対して上向きに傾斜した円柱状をなしている。凹部１９ｂは、凸部１８ｂに対応し、底部側ほど上側に位置するように傾斜した断面円形の有底の穴とされる。凸部１８ｂは、椅子１の椅子設置面Ｆに対する傾きを伴い、隣り合う他の椅子１の凹部１９ｂに挿入される。凸部１８ｂの挿入後に椅子１の傾きを戻すことで、上向きに傾斜した凸部１８ｂが凹部１９ｂにフック状に係合し、水平移動での離脱を規制する。第一部材１８および第二部材１９の各々は、例えばポリアセタール等の合成樹脂材料により一体形成されている。
【００５９】
本実施形態の椅子１は、例えば劇場、ホールの空きスペースおよび体育館等において、前後左右に複数並べて設置することで、着席スペースを臨時的に増設可能とする。このとき、左右方向で隣り合う椅子１同士は、連結機構１７により連結された状態で、椅子設置面Ｆ上の規定箇所に設置される。
【００６０】
椅子１の左右脚体２は、複数の椅子１を左右方向に隣接して配置したとき、隣り合う椅子１の脚体２と外側面４１同士を当接可能である。図１１を併せて参照し、脚体２の外側面４１は、前脚２０、連結杆部３０および後脚２５の特定の上部（後述する頂部屈曲部２８ｃよりも上方の部位（上傾斜部２８ｄ））の各外側面４１ａ，４１ｂ，４１ｃで形成されている。前脚２０、連結杆部３０および後脚２５の上部は、椅子１の幅方向の最外側に配置されている。脚体２の外側面４１は、幅方向と直交する平面であり、椅子１の幅方向の最外側面を構成している。
【００６１】
隣り合う椅子１が脚体２の外側面４１同士を当接させることで、両椅子１における断面角形の前脚２０、連結杆部３０および後脚２５の上部の各々同士が、幅方向で隙間なく当接可能である。
このため、複数の椅子１を横並びに配置したときに、隣接する椅子１の前脚２０の間に間隔が生じない。特に、前脚２０における床面Ｆ上の前方延出部２１ａの間に間隔が生じない。前記間隔が生じると、隣接する前脚２０の間にゴミや埃等の異物が溜り易いが、本実施形態の椅子１では、隣接する前脚２０の間に異物が溜まり難い。
【００６２】
また、前脚２０が断面矩形状をなし、幅方向に直交する外側面４１ａ同士を当接させるので、前脚２０が断面円形である場合に比べて、隣り合う椅子１の前脚２０の間に谷間も生じない。特に、前脚２０の前方延出部２１ａを並べたとき、断面矩形状の前方延出部２１ａの外側面４１ａ１同士が当接することで、隣接する前方延出部２１ａの上面側に谷間が生じない。このため、隣接する前方延出部２１ａ間の谷間に異物が溜まったり、靴の一部（特に婦人靴のピンヒール）が入り込んだりすることが防止される。
【００６３】
＜前後脚の詳細＞
次に、前後脚２０，２５についてさらに詳述する。
図１〜図４を参照し、前脚２０は、下部が側面視でＬ字状に形成されるのに対し、上部が側面視で後方に凸のＶ字状に形成されている。前脚２０の上部は、前脚鉛直杆部２３上に前方に凸の中段屈曲部２３ａを介して連なり、上側ほど後側に位置するように傾斜した下傾斜部２３ｂと、下傾斜部２３ｂの上方に後方に凸の頂部屈曲部２３ｃを介して連なり、上側ほど前側に位置するように傾斜した上傾斜部２３ｄと、を備えている。頂部屈曲部２３ｃは、使用位置Ｐ１にある座３の座面３ａよりも上方に位置している。
【００６４】
上下傾斜部２３ｂ，２３ｄおよび頂部屈曲部２３ｃを含んで、前脚上部屈曲部２３ｅが構成されている。前脚上部屈曲部２３ｅを設けることで、着座者Ｍ１の大腿部が幅方向外側を向いた際に、大腿部が前脚２０に干渉し難くなる（図８参照）。上傾斜部２３ｄには、前記前結合部６が設けられている（図２参照）。前脚２０の上傾斜部２３ｄ（前垂下部３１含む）は、座３よりも上方において、側面視で前上方に向けて斜めに延出する前上方延出部２４を構成している。前上方延出部２４の前上端部は、前端屈曲部３３を介して、連結杆部３０の前端部に連なっている。
【００６５】
前脚２０は、長方形状の断面を有して、椅子設置面Ｆから連結杆部３０に至るまで延びている。前脚２０は、椅子設置面Ｆから連結杆部３０に至るまで、長方形状の断面形状の長手方向を幅方向に向けて（実施形態では幅方向と平行にして）延びている。
【００６６】
前脚２０の下端部２１には、前脚鉛直杆部２３の下端部に前下屈曲部２１ｄを介して連なる前方延出部２１ａが設けられている。前方延出部２１ａは、椅子設置面Ｆおよび前後方向に沿って前方に向けて延びている。前方延出部２１ａには、例えば合成樹脂、不織布等で形成された前脚カバー２２が取り付けられている。前脚カバー２２は、前方延出部２１ａの前端部（先端部）２１ｃを前方から覆う前端被覆部２２ａと、前方延出部２１ａの下面を覆う下面被覆部２２ｂと、前方延出部２１ａの後端部２１ｂ（前下屈曲部２１ｄの外周部）を覆う後端被覆部２２ｃと、を備えている。下面被覆部２２ｂの下面（接地面）２２ｄには、溝状（凹状）またはビード状（凸状）の滑り止めパターンが形成されている。
【００６７】
図１４を参照し、下面被覆部２２ｂの下面２２ｄの滑り止めパターン２２Ｐは、例えば下面視で前方に凸のＶ字形状をなしている。この滑り止めパターン２２Ｐが前後方向で複数並ぶことで、下面被覆部２２ｂの下面２２ｄに滑り止め構造２２Ｇが形成されている。滑り止め構造２２Ｇは、下面被覆部２２ｂの下面２２ｄの外周部分（丸面取り部分）を除いた平坦面に形成されている。
【００６８】
図１５を参照し、前脚カバー２２の滑り止め構造２２Ｇは、複数種のバリエーションが考えられる。
図１５（ａ）に示す滑り止め構造２２Ｇａは、小型の三角形状の滑り止めパターンを千鳥状に複数配列した例である。
図１５（ｂ）に示す滑り止め構造２２Ｇｂは、小型の六角形状の滑り止めパターンを千鳥状に複数配列した例である。
図１５（ｃ）に示す滑り止め構造２２Ｇｃは、Ｗ字形状の滑り止めパターンを前後方向で複数並べた例である。
図１５（ｄ）に示す滑り止め構造２２Ｇｄは、波形状の滑り止めパターンを前後方向で複数並べた例である。
図１５（ｅ）に示す滑り止め構造２２Ｇｅは、図１５（ｄ）に示す波形状の滑り止めパターンを前後方向で逆向きにして複数並べた例である。なお、図１５（ｃ）に示すＷ字形状の滑り止めパターンを前後方向で逆向きにして複数並べた例も有り得る。
図１５（ｆ）に示す滑り止め構造２２Ｇｆは、格子状の滑り止めパターンを形成した例である。
【００６９】
図１５（ｇ）に示す滑り止め構造２２Ｇｇは、小型の円形状の滑り止めパターンを千鳥状に複数配列した例である。
図１５（ｈ）に示す滑り止め構造２２Ｇｈは、図１４に示す滑り止め構造２２Ｇに対し、Ｖ字形状の滑り止めパターンを前後方向の間隔を広げて並べた例である。
図１５（ｉ）に示す滑り止め構造２２Ｇｉは、ひし形の滑り止めパターンを適宜組み合わせて形成した例である。
図１５（ｊ）に示す滑り止め構造２２Ｇｊは、前方に凸の円弧形状の滑り止めパターンを前後方向で複数並べた例である。
図１５（ｋ）に示す滑り止め構造２２Ｇｋは、後方に凸の円弧形状の滑り止めパターンを前後方向で複数並べた例である。
なお、図１５に示す各バリエーションにおいて、閉じた線で描かれた滑り止めパターンは、その周囲の領域に対して凸または凹となるように形成されている。
【００７０】
図１〜図４を参照し、後脚２５は、前脚２０の頂部屈曲部２３ｃの後方位置から下後方へ、側面視で傾斜して直線状に延びる前記杆状部分２Ｃを備えている。
後脚２５は、杆状部分２Ｃよりも上方の上部が、側面視で前方に凸のＶ字状に形成されている。後脚２５の上部は、下部である杆状部分２Ｃの上方に直線状に連なり、上側ほど前側に位置するように傾斜した下傾斜部２８ｂと、下傾斜部２８ｂの上方に前方に凸の頂部屈曲部２８ｃを介して連なり、上側ほど後側に位置するように傾斜した上傾斜部２８ｄと、を備えている。頂部屈曲部２８ｃは、使用位置Ｐ１にある座３の座面３ａよりも上方に位置している。
【００７１】
上下傾斜部２８ｂ，２８ｄおよび頂部屈曲部２８ｃを含んで、後脚上部屈曲部２８ｅが構成されている。後脚２５の上傾斜部２８ｄは、座３よりも上方において、側面視で後上方に向けて斜めに延出する後上方延出部２９を構成している。後上方延出部２９の後上端部は、後端屈曲部３４を介して、連結杆部３０の後端部に連なっている。後上方延出部２９の前下端部は、頂部屈曲部２８ｃを介して、杆状部分２Ｃ（以下、後下方延出部２９ａということがある。）の前上端部に連なっている。
【００７２】
下傾斜部２８ｂは、側面視で前脚２０の上傾斜部２３ｄと直線状又は平行をなすように配置されている。上傾斜部２８ｄは、側面視で前脚２０の下傾斜部２３ｂと直線状又は平行をなすように配置されている。前脚２０および後脚２５は、側面視であたかもＸ字状に交差するような外観をなしている。
【００７３】
後脚２５は、長方形状の断面を有して、椅子設置面Ｆから連結杆部３０に至るまで延びている。後脚２５は、椅子設置面Ｆから連結杆部３０に至る途中で、長方形状の断面形状の長手方向の向きを変化させている。後脚２５は、頂部屈曲部２８ｃにおいて、断面形状の向きを９０°捻っている。つまり、頂部屈曲部２８ｃは、後脚２５の断面形状の向きを捩じりながら、後脚２５を側面視で屈曲させている。
【００７４】
後脚２５において、上傾斜部２８ｄは、長方形状の断面形状の長手方向を幅方向に向けているのに対し、下傾斜部２８ｂは、長方形状の断面形状の短手方向を幅方向に向けている。上傾斜部２８ｄにおける幅方向外側で幅方向と直交する外側面４１ｂは、頂部屈曲部２８ｃで前方に向けて９０°の捻りが加えられ、下傾斜部２８ｂにおける前下方を向きかつ幅方向と平行な前下傾斜面に変化する。上傾斜部２８ｄにおける後下方を向きかつ幅方向と平行な後下傾斜面は、頂部屈曲部２８ｃで幅方向外側に向けて９０°の捻りが加えられ、下傾斜部２８ｂにおける幅方向外側で幅方向と外側面４１ｂ１に変化する（図１１参照）。
【００７５】
後脚２５は、頂部屈曲部２８ｃで捩じれる際、上傾斜部２８ｄに対して下傾斜部２８ｂを、上傾斜部２８ｄの全幅分だけ幅方向内側にオフセットさせる。頂部屈曲部２８ｃは、上傾斜部２８ｄに対して下傾斜部２８ｂを下後方に屈曲させる屈曲部であり、後脚２５の断面形状の向きを捻る捻り部であり、上傾斜部２８ｄに対して下傾斜部２８ｂを幅方向内側に変位させる変位部である。
【００７６】
後脚２５における下傾斜部２８ｂの後下方に直線状に連なる鋼管部分２Ｃ（後下方延出部２９ａ）は、着座者Ｍ１の背凭れ荷重を支持するため、座３の後端部３ｄよりも後方まで延び、背凭れ４の上端部４ｄ（後端部でもある）と同等となる前後方向位置で下端部２６を接地させている。前記背凭れ荷重とは、着座者Ｍ１が背凭れ４に寄りかかった際に、背凭れ４に入力される後方向への荷重である。後脚２５の下端部２６には、例えば合成樹脂、不織布等で形成された後脚カバー２７が取り付けられている。後脚カバー２７の下面（接地面）２７ｄには、溝状（凹状）またはビード状（凸状）の滑り止めパターンが形成されている。
【００７７】
図１４を参照し、後脚カバー２７の下面２７ｄの滑り止めパターン２７Ｐは、例えば前脚カバー２２の滑り止めパターン２２Ｐと同様、下面視で前方に凸のＶ字形状をなしている。この滑り止めパターン２７Ｐが前後方向で複数並ぶことで、後脚カバー２７の下面２７ｄに滑り止め構造２７Ｇが形成されている。滑り止め構造２７Ｇは、後脚カバー２７の下面２７ｄの外周部分（丸面取り部分）を残した平坦面に形成されている。
なお、後脚カバー２７の滑り止め構造２７Ｇも、前脚カバー２２の滑り止め構造２２Ｇと同様のバリエーションを持つ。
【００７８】
図７を参照し、複数の椅子１を前後方向（奥行方向）で並べた際、前側に位置する椅子１の後脚２５の後下方延出部２９ａは、後側に位置する椅子１の前脚２０と前後方向位置をラップさせる配置となる。後脚２５の後下方延出部２９ａは、後上方延出部２９の全幅を超える程度だけ、すなわち前脚２０の全幅を超える程度だけ、幅方向内側へオフセットしている。このため、図６に示すように、左右後脚２５の後下方延出部２９ａの外側面４１ｂ１間の間隔Ｋ２は、左右前脚２０の内側面４２間の間隔Ｋ１よりも小さくなる。
【００７９】
このため、前側に位置する椅子１の左右後脚２５の後下方延出部２９ａは、後側に位置する椅子１の左右前脚２０に干渉することなく、左右前脚２０の幅方向内側に入り込むことが可能となる。したがって、前後方向に並ぶ椅子１を入れ子式に重ねることが可能となる。また、後上方延出部２９のオフセット量は後上方延出部２９の全幅を超える程度に抑えるので、左右後脚２５の後下方延出部２９ａ間のピッチが確保され、椅子１の安定性への影響が抑えられる。また、後脚２５が頂部屈曲部２８ｃで捩じれつつ後下方延出部２９ａをオフセットさせるので、後下方延出部２９ａを段差状にオフセットさせる場合に比べて、後下方延出部２９ａの変位が滑らかになり、応力集中の発生が抑えられる。
【００８０】
図１〜図４を参照し、前脚２０の前上方延出部２４の上端部と後脚２５の後上方延出部２９の上端部との間に、連結杆部３０が渡されている。連結杆部３０は、延在方向に沿う略水平な肘載せ面５ａを形成する。肘載せ面５ａは、連結杆部３０に沿って略水平に前後方向に延びている。詳細には、肘載せ面５ａは、後下がりに傾斜し、かつ側面視で上方に凸の湾曲状をなして前後方向に延びている。
【００８１】
図１１、図１２を併せて参照し、連結杆部３０は、前後脚２０，２５の断面形状と略同一の長方形状の基本断面形状Ｓ１を有し、かつ肘載せ面５ａと反対側の下面に、断面視で基本断面形状Ｓ１よりも幅方向でやや狭い幅の逆三角形状の突部３０ａを有している。これにより、連結杆部３０は、全体として概略逆三角形状の断面形状を形成している。連結杆部３０の幅方向両側には、基本断面形状Ｓ１と突部３０ａとの幅が異なることから、断面視で凹状の段差部３０ｂが形成されている。段差部３０ｂは、連結杆部３０の延在方向に沿って延びるように形成されている。
【００８２】
連結杆部３０の下部両側に段差部３０ｂが形成されることで、着座者Ｍ１等が連結杆部３０（肘掛け５）を把持する際に指を掛けやすくなる。連結杆部３０の前後端部には、側面視で鋭角に屈曲する前端屈曲部３３および後端屈曲部３４がされており、着座者Ｍ１等が連結杆部３０（肘掛け５）の前後端部にも指を掛けやすくなる。突部３０ａの前後端部は、前端屈曲部３３および後端屈曲部３４の内周側において消失している。
【００８３】
図５、図６を参照し、前脚２０は、幅方向位置を変化させることなく、前後方向視で上下端部に渡って直線状に延びている。連結杆部３０は、幅方向位置を変化させることなく、上下方向視で前後端部に渡って直線状に延びている。後脚２５の上部（後上方延出部２９）は、幅方向位置を変化させることなく、前後方向視で前脚２０と重なるように直線状に延びている。後脚２５の下部（後下方延出部２９ａ）は、前後方向視で前脚２０を幅方向内側に避けた位置において、幅方向位置を変化させることなく、前後方向視で前脚２０を避けて直線状に延びている。
【００８４】
図１１を併せて参照し、前脚２０、連結杆部３０および後脚２５の上部は、各々の幅方向外側において、椅子１の幅方向と直交する外側面４１ａ，４１ｂ，４１ｃを形成している。これらの外側面４１ａ，４１ｂ，４１ｃは、脚体２ひいては椅子１の幅方向の外側面４１を形成している。換言すれば、前脚２０、連結杆部３０および後脚２５の上部は、椅子１の外側面４１に沿って延びている。
【００８５】
椅子１は、幅方向で他の椅子１と隣接した際、隣り合う椅子１同士で各々の脚体２の外側面４１を互いに隙間なく当接可能である。具体的に、隣り合う椅子１同士における各々の前脚２０、連結杆部３０および後脚２５の上部の外側面４１ａ，４１ｂ，４１ｃを互いに隙間なく当接可能である。そして、脚体２の外側面４１同士を当接させた状態で、隣り合う椅子１同士を連結機構１７で連結可能である。連結機構１７は、第一部材１８および第二部材１９の幅方向外側の端面を外側面４１に配置している。
【００８６】
隣り合う椅子１同士を連結機構１７で連結したとき、一方の椅子１の第一部材１８と他方の椅子１の第二部材１９とが互いに突き当たった状態となり、脚体２の外側面４１同士が当接した状態となる。
これにより、複数の椅子１を横並びに配置して連結したときに、隣接する椅子１の前脚２０、連結杆部３０および後脚２５の上部の間に隙間を生じさせない。よって、隣接する前脚２０の間（特に前方延出部２１ａの間）に異物が入り込むことを防止し、かつ肘掛け５の上面に幅広の平坦な肘載せ面５ａを形成することが可能である。
【００８７】
以上説明したように、上記実施形態における椅子１は、座面３ａを有する座３と、椅子１の幅方向に離間して一対設けられ、椅子設置面Ｆ上に起立し、前記座３を支持する左右一対の脚体２と、を備え、前記左右脚体２の各々は、互いに前後方向に離間して上下方向に延び、下端部２１，２６が前記椅子設置面Ｆに支持される前脚２０および後脚２５と、前記座３を支持する支持部材３５（座支持部）と、を備え、前記支持部材３５は、前記座３の前端部よりも後方において、前記前脚２０および後脚２５の間に配置され、前記座３の前端部側を跳ね上げ可能とするべく前記座３を回動可能に支持し、前記支持部材３５の前端部は前記前脚２０に支持され、前記支持部材３５の後端部は前記後脚２５に支持されている。
【００８８】
この構成によれば、着座荷重を受ける座３が、左右方向に離間した左右脚体２の各々における前後方向に離間した前脚２０および後脚２５に支持されるので、座３を安定して支持することができる。また、椅子１の幅方向両側に大型の立壁状の脚体を設けるような場合に比べて、椅子１自体の重量およびサイズを抑えることができる。そして、重量およびサイズの軽減により、椅子１の設置および片付けを行う際の可搬性を良好に確保することができる。
また、座支持部が杆状の前脚２０および後脚２５の間に配置され、前後端部を前脚２０および後脚２５に支持された両持ち構造となるので、座３の支持強度を確保しやすくなる。すなわち、座３の前端部側を跳ね上げ可能に支持する座支持部には、座３への着座荷重によって大きなモーメントが作用するが、この座支持部を前脚２０および後脚２５で両持ち支持することで、座支持部自体の支持強度を効率よく確保可能となる。このため、座支持部自体、ならびに前脚２０および後脚２５における座支持部を支持する部位の強度剛性を抑えやすくなり、周辺構造の小型軽量化を図ることができる。
【００８９】
そして、本実施形態の椅子１において、前記前脚２０は、前記座支持部を支持する部位から前記下端部２１に至るまでの間に、鉛直方向に沿って延びる前脚鉛直杆部２３を備えている。
この構成によれば、前脚２０における座支持部よりも椅子設置面Ｆ側に前脚鉛直杆部２３を備えるので、当該部位が椅子１前方の空間に飛び出し難くなり、椅子１前方の通路空間を確保することができる。また、前脚２０が着座者Ｍ１等の下肢に干渉することを抑えることができる。また、歩行者Ｍ２が通路を通る際に足元の注意に気を取られ難くなり、歩きやすさを向上させることができる。また、椅子１が設置された状態で床面Ｆ等が汚れているときにも、床面Ｆ周辺を清掃しやすくすることができる。
このように、本実施形態によれば、座３を跳ね上げ可能な可搬式の椅子１において、椅子１自体のさらなる軽量化を図って可搬性を高め、かつ椅子１前方の通路空間の確保を容易にすることができる。
【００９０】
また、本実施形態の椅子１において、前記前脚鉛直杆部２３を備える前脚２０は、前記椅子設置面Ｆに沿って、前後方向で前記座支持部から離間する側（前方）へ延びる延長接地部２Ｄ（前方延出部２１ａ）を備えている構成でもよい。
この構成によれば、前脚２０が前脚鉛直杆部２３を備える場合、前脚２０の下端部２１には、椅子設置面Ｆに沿って前方へ延びる延長接地部２Ｄ（前方延出部２１ａ）が備えられる。この延長接地部２Ｄにより、前脚２０の前後方向位置によらず、椅子１の接地位置を前方に離間して設けることができ、椅子１の安定性を高めることができる。また、延長接地部が床面Ｆ（椅子設置面）に沿って延びるので、この延長接地部を踏んだり跨いだりして歩くことが可能となる。このため、椅子１の接地位置を前方に離間して設けながらも、椅子１前方の通路への影響を抑えることができる。
【００９１】
ここで、図１３を参照し、変形例の椅子１０１について説明する。
椅子１０１は、前記前脚２０が前方延出部２１ａを延長接地部２Ｄとして備えるとともに、後脚２５においても、前記椅子設置面Ｆに沿って前記座支持部から離間する側（後方）へ延びる後方延出部１２６ａを延長接地部２Ｄとして備えている。後方延出部１２６ａには、前脚カバー２２と同様の後脚カバー１２７が取り付けられている。
【００９２】
椅子１０１の後脚２５は、後方延出部１２６ａの基端部（前端部）１２６ｂから上方へ垂直に延びる後脚鉛直杆部１２８を備えている。後脚２５における後方延出部１２６ａおよび後脚鉛直杆部１２８を含む部位は、側面視でＬ字状に形成されている。後脚鉛直杆部１２８の上方には、中段屈曲部１２８ａを介して後下方延出部２９ａの上部が連なっている。後下方延出部２９ａの上部には、支持部材３５の後端部が結合されて支持されている。すなわち、後脚２５は、前記座支持部を支持する部位から前記下端部１２６に至るまでの間に、鉛直方向に沿って延びる後脚鉛直杆部１２８を備えている。
後脚鉛直杆部１２８は、鉛直方向に対し、前脚鉛直杆部２３と同様の傾きを許容して延びている。
【００９３】
図１３の変形例では、前脚２０および後脚２５の何れも鉛直杆部２３，１２８を備えているが、例えば前脚２０の前脚鉛直杆部２３を無くし、当該部位に下傾斜部２３ｂを延長するように傾斜して延ばした脚杆を備えてもよい。すなわち、前記前脚２０および後脚２５の少なくとも一方が、前記座支持部を支持する部位から前記下端部２１，１２６に至るまでの間に、鉛直方向に沿って延びる鉛直杆部２３，１２８を備えている構成であればよい。
【００９４】
上述のように前脚２０の前脚鉛直杆部２３を無くした場合、前脚２０の前方延出部２１ａ（延長接地部２Ｄ）を無くしてもよい。すなわち、前記前脚２０および後脚２５の内、前記鉛直杆部２３，１２８を備える脚が、前記椅子設置面Ｆに沿って、前後方向で前記座支持部から離間する側へ延びる延長接地部２Ｄを備えている構成であればよい。
【００９５】
また、本実施形態の椅子１において、前記前脚２０および後脚２５の内、前記延長接地部２Ｄを備える脚（例えば前脚２０）は、前記延長接地部２Ｄを含んで矩形状の断面を有して延び、前記延長接地部２Ｄは、前記幅方向の外側に、前記幅方向と直交する外側面４１ａ１を形成し、前記椅子１の幅方向一側に他の椅子１を隣接させた場合に、前記延長接地部２Ｄは、前記他の椅子１の前記延長接地部２Ｄと前記外側面４１ａ１同士を当接させる。
この構成によれば、幅方向で隣接する椅子１を椅子設置面Ｆ上に設置した場合に、断面矩形状の延長接地部２Ｄが、隣り合う椅子１の延長接地部２Ｄと外側面４１ａ１同士を当接させるので、延長接地部２Ｄを備える脚杆が円形状の断面を有して延びる構成に比べて、椅子設置面Ｆ上で隣接する延長接地部２Ｄ同士の間に隙間（特に上面側の谷間）が生じることを抑えることができる。このため、隣接する延長接地部２Ｄ同士の間に異物や靴の一部（特に婦人靴のピンヒール）が入り込むことを抑えることができる。また、横並びに連結された椅子１の延長接地部２Ｄ同士が隣接するので、隣接する延長接地部２Ｄによって幅広の上面を形成することができる。このため、椅子１前後の通路を通る歩行者Ｍ２が、幅方向で並ぶ延長接地部２Ｄの上面を踏みやすくなり、椅子１前後の通路への影響を抑えることができる。
【００９６】
また、本実施形態の椅子１において、前記延長接地部２Ｄは、滑り止め構造を有して前記椅子設置面Ｆに当接する接地部材（例えば前脚カバー２２）を備えている。
この構成によれば、椅子設置面Ｆへの当接面を拡大した延長接地部２Ｄが、滑りによる位置ズレを生じさせることを抑え、椅子１の安定性を高めることができる。
本実施形態では、延長接地部２Ｄを備えない後脚２５の接地部にも上記同様の接地部材（後脚カバー２７）を備えており、椅子１全体の安定性を高め、かつ椅子設置面Ｆの傷付きを抑えている。
【００９７】
また、本実施形態の椅子１において、前記座３は、前記座面３ａを上方に向けた使用位置Ｐ１と、前記使用位置Ｐ１に対して前端部を上方に移動させた跳ね上げ位置Ｐ２と、の間で回動可能であり、前記座３を前記使用位置Ｐ１から前記跳ね上げ位置Ｐ２へ回動させる向きに付勢する付勢機構１６を備え、前記付勢機構１６は、前記座支持部に支持されている。
この構成によれば、回動式（跳ね上げ式）の座３の動作による荷重、および付勢機構１６から受ける付勢反力等を、座支持部を介して前後脚２０，２５の各々で安定して支持することができる。このため、座３の動作の安定性の確保を容易にし、周辺構造の小型軽量化を図ることができる。
【００９８】
なお、本発明は上記実施形態に限られるものではなく、例えば、前後脚２０，２５がＸ字状に交差する場合、後脚２５が前上方延出部２４を形成し、前脚２０が後上方延出部２９を形成してもよい。すなわち、前後脚２０，２５の少なくとも一方における座３よりも上方に延びる部位が、前上方延出部２４を形成し、この前上方延出部２４の上端部に連結杆部３０（肘掛け５）の前部が支持される構成であればよい。
そして、上記実施形態における構成は本発明の一例であり、実施形態の構成要素を周知の構成要素に置き換える等、本発明の要旨を逸脱しない範囲で種々の変更が可能である。
【符号の説明】
【００９９】
１，１０１  椅子
２，１０２  脚体
３  座
３ａ  座面
１６  付勢機構
２０  前脚
２１  下端部
２１ａ  前方延出部
２Ｄ  延長接地部
２２  前脚カバー（接地部材）
２２Ｇ  滑り止め構造
２３  前脚鉛直杆部（鉛直杆部）
２５  後脚
２６，１２６  下端部
４１ａ１  外側面
１２６ａ  後方延出部
２７，１２７  後脚カバー（接地部材）
２７Ｇ  滑り止め構造
１２８  後脚鉛直杆部（鉛直杆部）
３５  支持部材（座支持部）
Ｆ  椅子設置面
Ｐ１  使用位置
Ｐ２  跳ね上げ位置
【図１】
2020028667.tif 000003
【図２】
2020028667.tif 000004
【図３】
2020028667.tif 000005
【図４】
2020028667.tif 000006
【図５】
2020028667.tif 000007
【図６】
2020028667.tif 000008
【図７】
2020028667.tif 000009
【図８】
2020028667.tif 000010
【図９】
2020028667.tif 000011
【図１０】
2020028667.tif 000012
【図１１】
2020028667.tif 000013
【図１２】
2020028667.tif 000014
【図１３】
2020028667.tif 000015
【図１４】
2020028667.tif 000016
【図１５】
2020028667.tif 000017
【図１６】
2020028667.tif 000018